(57)【要約】 【課題】  木ねじ等による固定が不均質であることに起因する遮音性能のバラツキを抑えて間仕切り壁パネルを取付け固定する。【解決手段】  間仕切り壁パネル１の隣接面部への木ねじ３による取付け固定方法であって、間仕切り壁パネル１には隣接面部に向うねじ穴１Ｃが設けられ、該ねじ穴１Ｃはねじ挿入部１Ｃ２の径が前方部１Ｃ１よりも拡大されており、根元側に固定強度表示手段としての弾性体ゴム１３等が装着された木ねじ３をねじ穴１Ｃに挿入し、ゴム１３の変形拡大等の表示をねじ締め固定強度の指標として取付け固定する。【選択図】図１
2007002540.tif 000002
【特許請求の範囲】
【請求項１】
間仕切り壁パネルの隣接面部への木ねじによる取付け固定方法であって、間仕切り壁パネルには隣接面部に向うねじ穴が設けられ、該ねじ穴はねじ挿入部の径が前方部よりも拡大されており、根元側に固定強度表示手段が装着された木ねじをねじ穴に挿入し、固定強度表示手段の表示をねじ締め固定強度の指標として取付け固定することを特徴とする間仕切り壁パネルの取付け固定方法。
【請求項２】
固定強度表示手段は弾性体であって、木ねじの締め込みにともなう弾性体の変形の度合いをねじ締め固定強度の指標として取付け固定することを特徴とする請求項１の間仕切り壁パネルの取付け固定方法。
【請求項３】
弾性体がゴムまたは樹脂であることを特徴とする請求項２の間仕切り壁パネルの取付け固定方法。
【発明の詳細な説明】
【技術分野】
【０００１】
本発明は、住戸内の部屋を分ける間仕切り壁パネルの隣接する壁や壁パネル、あるいは天井面等の隣接面部への取付け固定方法に関するものである。
【背景技術】
【０００２】
従来、住戸内の部屋を分けるための間仕切り壁パネルを設置するに際しては、たとえば、図５に示したように、間仕切り壁パネル１の両面から複数箇所を木ねじ３の斜めからの締め込みによって隣接する間仕切り壁パネル２や天井面４、あるいは床面５等に取付け固定することが行われている。また、このような木ねじ止めによる固定はその施工が面倒であって、振動等によってねじ止めの剛性が低下することが懸念される等の問題点を解消するために、たとえば、図６Ａのように、隣接する間仕切り壁パネル１、２の対向する側端面に設けた溝１Ａ、２Ａ内にジョイントパネル６を挿入して木ねじ３で固定することや、図６Ｂのように、溝１Ａ、２Ａ内に支持板７上の係止片部８を嵌入するようにした構造等が提案されている（たとえば特許文献１−３）。
【０００３】
一方、壁パネルの設置については、上下階の床パネルの振動の伝達を抑制し、かつ、壁パネルの変形等を防止できる壁パネルの取付け構造として、図７に示したように、床パネル９の端部または鉄骨天井梁の端部に壁パネル１０の端部を取付ける際に、吸振・圧縮力吸収用のゴムスリーブ１１を装着した木ねじ３を用いて、木ねじ３よりも大径の嵌合穴１２内に締め込んで固定する構造が提案されてもいる（特許文献４）。この構造によれば、ゴムスリーブ１１の吸振作用によって壁パネル１０を介しての振動の伝達が抑制され、かつ、壁パネル１０の変形、木ねじ３の剪断、ねじ穴付近のクラックの発生等も抑えるとされている。
【０００４】
しかしながら、従来のいずれの取付け固定の方法、構造によっても、間仕切り壁パネルの取付け施工では木ねじ等による固定が不均質で安定せず、施工箇所、あるいは同じ構成であっても施工の場所によって遮音性能にバラツキが出るという問題があった。従来の図５のような木ねじ３による取付け固定、あるいは図６Ａ、Ｂのジョイントパネル７や係止片部８による接合においては、この遮音性能のバラツキは施工上の大きな問題であった。
【０００５】
また、ゴムスリーブを装着した木ねじを用いる前記の構造は、壁パネル１０の取付けが特殊な構成の場合に限られており、間仕切り壁パネルにおける遮音性能のバラツキという問題点の認識もなければ、これを解決可能とする方策も示唆していない。
【特許文献１】特開平４−３０６３４１号公報
【特許文献２】特開２００５−９７９６６号公報
【特許文献３】特開２０００−３２００４８号公報
【特許文献４】特開平９−３１７０５５号公報
【発明の開示】
【発明が解決しようとする課題】
【０００６】
本発明は、以上のとおりの背景から、従来の問題点を解消して、木ねじ等による固定が施工上不均質であることに起因する遮音性能のバラツキを抑えることを可能とする、改善された間仕切り壁パネルの取付け固定方法を提供することを課題としている。
【課題を解決するための手段】
【０００７】
本発明の間仕切り壁パネルの取付け固定方法は、上記の課題を解決するものとして以下のことを特徴としている。
【０００８】
第１：間仕切り壁パネルの隣接面部への木ねじによる取付け固定方法であって、間仕切り壁パネルには隣接面部に向うねじ穴が設けられ、該ねじ穴はねじ挿入部の径が前方部よりも拡大されており、根元側に固定強度表示手段としての弾性体が装着された木ねじをねじ穴に挿入し、固定強度表示手段の表示をねじ締め固定強度の指標として取付け固定する。
【０００９】
第２：上記の固定強度表示手段は弾性体であって、木ねじの締め込みにともなう弾性体の変形の度合いをねじ締め固定強度の指標として取付け固定する。
【００１０】
第３：上記の弾性体は、ゴムまたは樹脂である。
【発明の効果】
【００１１】
上記のとおりの第１の発明によれば、固定強度表示手段の表示を木ねじの締め込みにともなう固定強度の指標とすることができるので、同じ施工状況での施工箇所による固定強度を可能な限り均一とすることができ、これによって、取付け施工部位での隙間の密着、密閉の度合を均質化して、施工容易に、遮音性能のバラツキを抑えることができる。このことによって、間仕切り壁の設置にともなう遮音性能の向上を用いることができる。
【００１２】
また、木ねじによる締め付け力が、固定強度表示手段をもっての挾持する力として作用することから、より安定した固定力が発現されることになる。
【００１３】
そして上記第２の発明によれば、固定強度表示手段を弾性体とし、その変形を指標とすることができるので施工における締め込みに必要な力の変化や目視による判別は容易であって、木ねじによる固定の均一化、そして遮音性能のバラツキの抑制はより確実に顕著なものとなる。
【００１４】
弾性体をゴムまたは樹脂とする第３の発明によれば、上記のとおりの効果に加えて、木ねじへの装着そして施工管理も容易となり、その吸着性能を利用して遮音性能の向上を図ることもできる。
【発明を実施するための最良の形態】
【００１５】
本発明は上記のとおりの特徴をもつものであるが、以下にその実施の形態について説明する。
【００１６】
添付した図面の図１および図２は本発明の一実施形態を例示した断面概要図である。図１においては、隣接する間仕切り壁パネル１、２の接合固定の場合を例示している。図１例示では、一方の間仕切り壁パネル１には、その側端部に、あらかじめ隣接の間仕切り壁パネル２の側端面２Ｂに向う、パネル表面の端部から斜め方向のねじ穴１Ｃが設けられている。ここで側端面２Ｂは、間仕切り壁パネル１の側端面１Ｂに対向して当接固定される部位である。
【００１７】
ねじ穴１Ｃは、図２にも示したが、その前方部１Ｃ１の径（断面内径）：Ｄ１よりも、ねじ挿入部１Ｃ２の径：Ｄ２が拡大されていて、この径が拡大された部位には、木ねじ３に装着された固定強度表示手段としての弾性体であるゴム１３が係止されるようになっている。
【００１８】
なお、図１、そして後述の図３、さらには前記従来例を示した図５においては、木ねじ３をＴ字棒状で示しているが、これはねじ部を省略して示しているものである。
【００１９】
そして、木ねじ３の取付け固定に際しては、図１、そして図２に示したように、固定用の木ねじ３をその先端よりねじ穴１Ｃのねじ挿入部１Ｃ２より前方部１Ｃ１へと挿入し、図１Ａの状態のように、先端を、隣接する間仕切り壁パネル２の側端面２Ｂへとねじ込む。さらにねじ込みを続けると、図１Ｂの状態のように、固定強度表示手段である弾性体ゴム１３はねじ頭に押しつけられて変形し、その径：Ｄ0の大きさを拡げる。
【００２０】
この変形拡大の度合いが、木ねじ３による固定強度を示す指標となる。従って、同様に木ねじ３によって固定する他の施工箇所においても、この変形拡大の大きさを締め込みに必要とされる力の変化や目視等によって判別して、ほぼ同様の固定強度となるようにねじの締め込みをコントロールすることが可能となる。この際の固定強度は、取付け固定しようとする間仕切り壁パネル１の対象相手によっても異なるが、たとえば図３に示したように、対象相手が隣接する間仕切り壁パネル２である場合には、図中の丸印Ａで示した各部位における固定強度はほぼ均一とすることができる。また、対象相手が天井面である場合には天井面部材の材質や構造に対応してほぼ均一な強度で、丸印Ｂの各部位でのねじ止めが可能になる。これによって、固定接合部における密着度、そして密閉度が均質となり、遮音性能のバラツキが抑えられることになる。
【００２１】
上記のゴム１３は、固定強度表示手段としての弾性体であるが、たとえば図１および図２の例においては、筒状体として、その中央部には木ねじ３が挿通されている。図２に示したような形状においては、たとえば、ねじ穴のねじ挿入部１Ｃ２の径：Ｄ２は１０〜１２ｍｍで、弾性体であるゴム１３の外径：Ｄ0は８〜１０ｍｍ、高さ約１０ｍｍで、片側１ｍｍ以上の隙間があるようにし、木ねじ３の締めつけが終了した場合には、ゴム１３の外径：Ｄは、ねじ穴の径：Ｄ２にほぼぴったりと納まるべく変形拡大するように設計、調節することができる。ゴム１３をこのように、ねじ穴１Ｃのねじ挿入部１Ｃ２の内径：Ｄ２にほぼぴったりと納まるように変形拡大させることは、施工における締め込みに必要な力の変化や目視等による確認が容易であって、施工を簡便に行うことができることから有効であり、しかも、ゴムによる密閉効果と音の吸収効果とによって遮音性能の向上にも寄与することになる。以上のことから、施工においては、変形をもたらす締め込み押圧力とねじ穴の大きさを管理することが可能となる。
【００２２】
なお、ねじ穴１Ｃについては、木ねじ３のみが挿入される前方部１Ｃ１の径：Ｄ１は、木ねじ３が干渉しない程度の内径を確保し、たとえば約６ｍｍとする。もちろん、その径：Ｄ１は、弾性体のゴム１３の外径：Ｄ0よりも小さな径とする。また、ゴム１３が入る箇所であるねじ挿入部１Ｃ２の深さは、ゴム１３が間仕切り壁パネル１内に隠れるようにし、たとえば上記の例では約１０ｍｍとしている。また、以上の例においては、ねじ根元のねじ頭部とゴム１３との間にはワッシャ１４を配設してもいる。
【００２３】
また、上記のねじ穴１Ｃについては、図１、そして図３のように、一方の間仕切り壁パネル１のみに設ければよく、たとえば隣接する間仕切り壁パネル２のような、固定接合する対象相手に設けることは実際的ではなく、特に必要でもない。間仕切り壁パネル等の加工精度や施工精度の点から、対象相手の所定の穴にねじ先端を挿入することは実際的でないからであり、また、木ねじであることから、対象相手へのねじ込みのために特に必要でもないからである。
【００２４】
固定強度表示手段を弾性体とし、これを、たとえば上記のゴム１３のようなゴム体とする場合には、その種類については、長期にわたって圧縮された状態で使用されても変質劣化しにくい性質を有するものが使用される。たとえば一般にパッキン材等として使用される、比較的硬質でしかも弾性のある、耐圧縮永久歪み性に優れた天然ゴムやシリコンゴム等が例示される。もちろんゴムに限定されることはなく、ゴムと樹脂との区分は必ずしも明確ではないものの、上記のような性質を有する樹脂、ウレタン発泡体などの樹脂フォーム等であってもよい。
【００２５】
また、以上の例に限られることなく、固定強度固定手段に弾性体を用い、その変形を施工上の固定強度の指標とするためには、たとえば、図４Ａに示したような皿バネや図４Ｂのような板バネ等であってもよい。木ねじ３の締め込みによって、これらのものも、図中の矢印ａ、ｂの方向に変形拡大し、この度合を施工上の固定強度判別の指標とすることができる。
【００２６】
上記のゴム１３をはじめとする弾性体の変形拡大を指標とする場合には、これら弾性体に着色等によってねじ穴１Ｃの上方からの視認性に優れた色調を有するものとしてもよい。
【００２７】
あるいはまた、固定強度表示手段は変形拡大する弾性体でなくてもよい。たとえば圧力によって色調を変化させたり、あるいは圧力によって発色するような部材、もしくは圧力によって変位するような硬質部材等であってもよい。いずれの場合であっても、複数の施工箇所での固定強度を均一にする必要がある際には施工上の固定強度の指標とすることができ、所要の固定強度の均一化の実現によって、間仕切り壁パネルの接合固定の密着性、密閉性を均一化し、遮音性能のバラツキも抑えることが可能になる。
【００２８】
なお、以上の例示説明においては間仕切り壁パネル１、２の床面への固定については詳述していないが、この固定は、床面にあらかじめ設けたレール材への載置取付け等の従来公知の手段をはじめとして各種の形態が採用されてよいことは言うまでもない。
【００２９】
また、上記の木ねじ止め後の間仕切り壁パネルについては、ねじ穴等の凹部へのパテ埋め込み等の表面平滑化処理を施した後に、壁紙貼着等の化粧を適宜に施してよいことも言うまでもない。
【図面の簡単な説明】
【００３０】
【図１】本発明の方法の弾性体ゴムを用いた一実施形態を示した概要断面図である。
【図２】図１の実施形態について拡大して示した要部拡大概要断面図である。
【図３】複数の施工箇所での固定いついて例示した正面概要図と、部分断面図である。
【図４】Ａ，Ｂは、各々、弾性体としての他の実施形態を示した概要断面図である。
【図５】木ねじにより斜め固定する従来例を示した概要斜視図である。
【図６】ジョイントパネル（Ａ）や係止片部（Ｂ）を用いての従来の固定法を示した概要断面図である。
【図７】ゴムスリーブを装着した木ねじの斜視図を用いての従来の壁パネルの固定構造を例示した概要断面図である。
【符号の説明】
【００３１】
１，２  間仕切り壁パネル
１Ａ，２Ａ  側端面
１Ｃ  ねじ穴
１Ｃ１  前方部
１Ｃ２  ねじ挿入部
３  木ねじ
４  天井面
５  床面
６  ジョイントパネル
７  支持板
８  係止片部
９  床パネル
１０  壁パネル
１１  ゴムスリーブ
１２  嵌合穴
１３  ゴム
１４  ワッシャ
１５  皿ばね
１６  板バネ
【図２】
2007002540.tif 000003
【図４】
2007002540.tif 000004
【図５】
2007002540.tif 000005
【図６】
2007002540.tif 000006
【図７】
2007002540.tif 000007
【図１】
2007002540.tif 000008
【図３】
2007002540.tif 000009